(57)【要約】      （修正有）【課題】物干しスタンドの立杆を伸縮させて位置を固定することが可能な物干しスタンドのパイプホルダーを提供する。【解決手段】パイプホルダー３０は、外嵌部３１と螺合部材３２とから構成される。２つのスタンド１０は、互いに平行に配置され、前部及び後部に接続ロッド１２が係合されて２つのスタンド１０が連結される。吊り下げバーセット２０は、２つの立杆２１と、２つの立杆２１の上部にそれぞれ接続された水平掛杆２２とを有する。立杆２１は、外管２１１と内管２１２とが入れ子式に嵌合されているため、外管２１１内で内管２１２を伸縮させることが可能である。外管２１１は、一端がスタンド１０上面の中央部に固定され、他端が上方へ延伸されて水平掛杆２２の内管２１２の下端に嵌合される。【選択図】図２
0003176816.tif 000002
【実用新案登録請求の範囲】
【請求項１】
物干しスタンドのパイプホルダーであって、
前記物干しスタンドは、２つのスタンド、吊り下げバーセット及び２つの接続ロッドを含み、
前記パイプホルダーは、外嵌部と螺合部材とから構成され、前記２つのスタンドは、互いに平行に配置され、前部及び後部に前記接続ロッドが係合されて前記２つのスタンドが連結され、前記吊り下げバーセットは、２つの立杆と、前記２つの立杆の上部にそれぞれ接続された水平掛杆とを有し、前記立杆は、外管と内管とが入れ子式に嵌合されているため、前記外管内で前記内管を伸縮させることが可能であり、前記外管は、一端が前記スタンド上面の中央部に固定され、他端が上方へ延伸されて前記水平掛杆の前記内管の下端に嵌合され、
前記外嵌部は、管状の締付け部を有し、前記締付け部の外周部には、軸方向開口が設けられ、前記軸方向開口の両側には、外側に延伸されたチャックがそれぞれ設けられ、前記チャックの外周部には、ねじ部分が設けられ、側端部に隣接した箇所にテーパ部が形成され、前記締付け部の下方には、前記締付け部より直径が大きなスリーブが接続され、前記スリーブと前記締付け部とが接触される箇所にはストップ縁が設けられ、前記外嵌部は、前記スリーブを介して前記外管の外周面に外嵌され、前記外管の頂端に設けられた前記ストップ縁により止められ、前記内管は、前記締付け部の上方から前記スリーブに貫通されて前記外管に内嵌され、前記螺合部材は、一端に雌ねじ孔が形成され、他端に収束セクションが形成され、前記雌ねじ孔が前記外嵌部の前記ねじ部分に螺着され、前記収束セクションが前記テーパ部に当接されて前記軸方向開口が押圧圧縮されると、前記締付け部により前記内管が完全に締付けられ、伸縮された前記立杆の位置を固定することを特徴とする物干しスタンドのパイプホルダー。
【請求項２】
前記スタンドは、キャスタが下方に取り付けられていることを特徴とする請求項１に記載の物干しスタンドのパイプホルダー。
【請求項３】
前記２つのスタンドは、上面の前部及び後部に下向きのコ字状の前記接続ロッドがそれぞれ挿着されて互いに連結されることを特徴とする請求項１に記載の物干しスタンドのパイプホルダー。
【考案の詳細な説明】
【技術分野】
【０００１】
本考案は、物干しスタンドのパイプホルダーに関するものであり、さらに詳しくは、物干しスタンドの立杆を伸縮させて高さを固定することが可能な物干しスタンドのパイプホルダーに関するものである。
【背景技術】
【０００２】
図６に示すように、従来の物干しスタンド４０は、互いに平行に配置された２つのスタンド４１を含む。これら２つのスタンド４１は、それぞれの内側面に接続された接続杆４２により互いに結合されている。スタンド４１は、押して移動させるのに便利なようにキャスタ４３が下方に取り付けられている。また、スタンド４１の上面中央部に接続された立杆４４に水平掛杆４５が接続されている。立杆４４は伸縮可能であり、立杆４４の外周部上をＬ字状螺杆部４６で締め付け、水平掛杆４５の高さを調整して固定することができる。
【０００３】
前記の如き従来の物干しスタンドを実際に使用する際、水平掛杆４５に衣類を掛け、物干しスタンド４０上で衣類を自然乾燥させたり日に当てて乾燥させたりすることができる。また、立杆４４の高さを調整することにより、洗濯した衣類が地面に触れて汚れることを防ぐこともできる。
【０００４】
しかし、上述の従来技術にれば、実際に使用する際、以下の問題点がある。すなわち、Ｌ字状螺杆部４６によれば、一点だけで締め付けられるため、接触面積が小さくなりすぎて当接効果が好ましくないため、物干しスタンド４０全体が緩んだり揺れたり、或いは掛けた衣類の重みにより立杆４４が変形したりする虞がある。
【０００５】
特開平６−１４２３９６号公報（以下、「特許文献１」という。）には、天井と床との間において張設可能でかつ伸縮可能な物干しスタンドであって、スタンド管が外管と外管の中を摺動可能な内管を有しており、内管が緊張レバーの回転によって歯状突起と歯溝がかみ合うことにより上下動可能とされ内管の高さを調整する機構が記載されている。
しかし、構造が複雑であり、操作も簡便ではなく、また、独立に立脚可能な２つのスタンドを要素とする物干しスタンドについては記載されていない。
【０００６】
従って、特許文献１には、前記の如き問題点を解決した物干しスタンドは開示されていない。
【特許文献１】特開平６−１４２３９６号公報
【考案の概要】
【考案が解決しようとする課題】
【０００７】
本考案の主な課題は、内管が力を受ける接触面積を増大させて安定的に高さを固定させる物干しスタンドのパイプホルダーを提供することにある。
本考案の第二の課題は、立杆の伸縮を迅速に行うことができ、操作が容易な物干しスタンドのパイプホルダーを提供することにある。
【課題を解決するための手段】
【０００８】
そこで、本考案者は、前記の本考案の課題を解決するために鋭意検討を重ねた結果、主な課題に対しては、締付け部と２つのチャックとを覆って締め付けることにより解決できることに着目し、また第二の課題に対しては螺合部材の締付け又は緩和のみにより解決できることに着目し、本考案に想到するに至った。
【０００９】
かくして、本考案によれば、物干しスタンドのパイプホルダーであって、
前記物干しスタンドは、２つのスタンド、吊り下げバーセット及び２つの接続ロッドを含み、
前記パイプホルダーは、外嵌部と螺合部材とから構成され、前記２つのスタンドは、互いに平行に配置され、前部及び後部に前記接続ロッドが係合されて前記２つのスタンドが連結され、前記吊り下げバーセットは、２つの立杆と、前記２つの立杆の上部にそれぞれ接続された水平掛杆と、を有し、前記立杆は、外管と内管とが入れ子式に嵌合されているため、前記外管内で前記内管を伸縮させることが可能であり、前記外管は、一端が前記スタンド上面の中央部に固定され、他端が上方へ延伸されて前記水平掛杆の前記内管の下端に嵌合され、
前記外嵌部は、管状の締付け部を有し、前記締付け部の外周部には、軸方向開口が設けられ、前記軸方向開口の両側には、外側に延伸されたチャックがそれぞれ設けられ、前記チャックの外周部には、ねじ部分が設けられ、側端部に隣接した箇所にテーパ部が形成され、前記締付け部の下方には、前記締付け部より直径が大きなスリーブが接続され、前記スリーブと前記締付け部とが接触される箇所にはストップ縁が設けられ、前記外嵌部は、前記スリーブを介して前記外管の外周面に外嵌され、前記外管の頂端に設けられた前記ストップ縁により止められ、前記内管は、前記締付け部の上方から前記スリーブに貫通されて前記外管に内嵌され、前記螺合部材は、一端に雌ねじ孔が形成され、他端に収束セクションが形成され、前記雌ねじ孔が前記外嵌部の前記ねじ部分に螺着され、前記収束セクションが前記テーパ部に当接されて前記軸方向開口が押圧圧縮されると、前記締付け部により前記内管が完全に締付けられ、伸縮された前記立杆の位置を固定することを特徴とする物干しスタンドのパイプホルダー
が提供される。
【００１０】
前記スタンドは、キャスタが下方に取り付けられていることが好ましい。
【００１１】
前記２つのスタンドは、上面の前部及び後部に下向きのコ字状の前記接続ロッドがそれぞれ挿着されて互いに連結されることが好ましい。
【考案の効果】
【００１２】
本考案に係るパイプホルダは、前記の通りの構成からなり、立杆の内管が力を受ける接触面積を増大させて安定的に位置を固定することができる。また、螺合部材の締付け又は緩和だけで立杆の伸縮を迅速に行うことができる。
【図面の簡単な説明】
【００１３】
【図１】本考案の一実施形態に係る物干しスタンドを示す斜視図である。
【図２】本考案の一実施形態に係る物干しスタンドを示す分解斜視図である。
【図３】本考案の一実施形態に係る物干しスタンドのパイプホルダーを示す拡大図である。
【図４】本考案の一実施形態に係る物干しスタンドのパイプホルダーを示す断面図である。
【図５】本考案の一実施形態に係る物干しスタンドのパイプホルダーの伸縮時の、締め付け又は緩和の状態を示す断面図である。
【図６】従来の物干しスタンドを示す斜視図である。
【考案を実施するための形態】
【００１４】
以下、本考案の実施形態について図面に基づいて説明する。なお、これによって本考案が限定されるものではない。
【００１５】
図１〜図４を参照する。図１〜図４に示すように、本考案の一実施形態に係る物干しスタンドのパイプホルダーは、物干しスタンドを含む。この物干しスタンドは、２つのスタンド１０、吊り下げバーセット２０及び２つの接続ロッド１２を含む。
【００１６】
パイプホルダー３０は、外嵌部３１と螺合部材３２とから構成される。
【００１７】
２つのスタンド１０は、互いに平行に配置され、押して移動させるために用いるキャスタ１１が下方に取り付けられ、上面の前部及び後部には、下向きのコ字状の接続ロッド１２を挿入して係合させ、２つのスタンド１０を連結する。
【００１８】
吊り下げバーセット２０は、２つの立杆２１と、２つの立杆２１の上部にそれぞれ接続された水平掛杆２２と、を有する。立杆２１は、外管２１１と内管２１２とが入れ子式に嵌合されているため、内管２１２を外管２１１内で伸縮させることが可能である。外管２１１は、一端がスタンド１０上面の中央部に固定され、他端が上方へ延伸されて水平掛杆２２の内管２１２の下端が嵌合される。
【００１９】
外嵌部３１は、管状の締付け部３１１を有する。締付け部３１１の外周部には、軸方向開口３１２が設けられている。軸方向開口３１２の両側には、外側に延伸されたチャック３１３が設けられている。２つのチャック３１３の外周部には、ねじ部分３１４が設けられ、側端部に隣接した箇所にテーパ部３１５が形成されている。締付け部３１１下には、締付け部３１１より大きな直径を有するスリーブ３１６が接続され、スリーブ３１６と締付け部３１１とが接触される箇所にはストップ縁３１７が形成されている。外嵌部３１は、スリーブ３１６を介して外管２１１の外周面に外嵌され、外管２１１の頂端に設けられたストップ縁３１７により止められ、内管２１２は、締付け部３１１の上方からスリーブ３１６を通って外管２１１に内嵌される。
【００２０】
螺合部材３２は、一端に雌ねじ孔３２１が設けられ、他端に収束セクション３２２が設けられる。雌ねじ孔３２１は、外嵌部３１のねじ部分３１４上に螺着され、収束セクション３２２をテーパ部３１５へ当接させると、軸方向開口３１２が押圧圧縮されて締付け部３１１で内管２１２を締付け、立杆２１の長さを調整した後に位置を固定する。
【００２１】
水平掛杆２２に衣類を掛けて物干しスタンドのパイプホルダーを実際に使用する場合、物干しスタンド１上に衣類を掛けて自然乾燥させ、又は日に当てて乾燥させる。立杆２１の高さを調整することにより、洗濯した衣類が地面に触れて汚れることを防止する。掛ける衣類に応じて水平掛杆２２の高さを調整する場合（図５参照）、まず、螺合部材３２を緩めてチャック３１３、軸方向開口３１２及び内管２１２が締め付けられない状態にし、外管２１１内で内管２１２を摺動させて立杆２１の長さを調整し、水平掛杆２２が所定の高さになるまで上昇又は下降させた後、螺合部材３２を再び締めて内管２１２を固定すると共に、調整後の状態を維持する。
【００２２】
上述したことから分かるように、本考案の物干しスタンドのパイプホルダーは、以下（１）及び（２）の効果を得ることができる。
（１）締付け部３１１と２つのチャック３１３とを覆って締付けることにより、内管２１２が力を受ける接触面積を増大させて安定的に位置を固定させることができる。
（２）螺合部材３２を締め付け又は緩和するだけの容易な操作で立杆２１の伸縮を迅速に行うことができる。
【００２３】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１０  スタンド
１１  キャスタ
１２  接続ロッド
２０  吊り下げバーセット
２１  立杆
２２  水平掛杆
３０  パイプホルダー
３１  外嵌部
３２  螺合部材
４０  物干しスタンド
４１  スタンド
４２  接続杆
４３  キャスタ
４４  立杆
４５  水平掛杆
４６  Ｌ字状螺杆部
２１１  外管
２１２  内管
３１１  締付け部
３１２  軸方向開口
３１３  チャック
３１４  ねじ部分
３１５  テーパ部
３１６  スリーブ
３１７  ストップ縁
３２１  雌ねじ孔
３２２  収束セクション
【図１】
0003176816.tif 000003
【図２】
0003176816.tif 000004
【図３】
0003176816.tif 000005
【図４】
0003176816.tif 000006
【図５】
0003176816.tif 000007
【図６】
0003176816.tif 000008